(57)【特許請求の範囲】
【請求項１】
昇降式の棚を有する吊戸棚であって、
戸棚本体と、
棚を支持し且つ前記戸棚本体に対する上昇終了位置と下降終了位置との間を上下方向に移動可能に前記戸棚本体に取付けられた可動フレームと、
前記可動フレームに対して上下方向に移動可能に可動フレームに取付けられた従動ロッドと、
前記可動フレームと前記従動ロッドとの間の相対移動によって作動するように前記可動フレームと前記従動ロッドとの間に配置されたダンパ機構と、を有し、
前記戸棚本体は、それに対する前記従動ロッドの上限位置と下限位置とをそれぞれ規定するように前記従動ロッドが当接する上側リミット部と下側リミット部とを有し、
前記従動ロッドは、前記可動フレームが上昇終了位置にあるときに前記可動フレームが前記従動ロッドに対して下方向に移動できるように配置され、前記下側リミット部は、前記可動フレームが上昇終了位置から下降終了位置に移動する途中で前記従動ロッドが当接するように配置され、それにより、前記従動ロッドが前記下リミット部に当接した後、前記可動フレームが前記従動ロッドに対して下方向に移動して、前記戸棚本体に対する前記可動フレームの下方向の移動が前記ダンパ機構によって抑制され、
前記従動ロッドは、前記可動フレームが下降終了位置にあるときに前記可動フレームが前記従動ロッドに対して上方向に移動できるように配置され、前記上側リミット部は、前記可動フレームが下降終了位置から上昇終了位置に移動する途中で前記従動ロッドが当接するように配置され、それにより、前記従動ロッドが前記上リミット部に当接した後、前記可動フレームが前記従動ロッドに対して上方向に移動して、前記戸棚本体に対する前記可動フレームの上方向の移動が前記ダンパ機構によって抑制されることを特徴とする吊戸棚。
【請求項２】
前記従動ロッドは、その上端部に前記上リミット部及び下リミット部に当接する頭部を有することを特徴とする請求項１に記載の吊戸棚。
【請求項３】
前記従動ロッドは、ラックを有し、前記可動フレームは、前記ラックに係合するピニオンを有し、このピニオンは、ロータリーダンパを介して前記可動フレームに取付けられることを特徴とする請求項１に記載の吊戸棚。
【請求項４】
前記可動フレームは、上方に付勢されることを特徴とする、請求項１〜３の何れか１項に記載の吊戸棚。
【請求項５】
前記従動ロッドは、前記可動フレームに枢動可能に取付けられた棚板体を起立位置に保持するラッチ体を移動させるための動作ピンを有することを特徴とする請求項１に記載の吊戸棚。
【発明の詳細な説明】
【技術分野】
【０００１】
本発明は、吊戸棚に関し、更に詳細には、昇降式の棚を有する吊戸棚に関する。
【背景技術】
【０００２】
従来から、昇降式の棚を有する吊戸棚が知られている（例えば、特許文献１及び２参照）。これらの棚は、上昇終了位置と下降終了位置との間を移動する。
【０００３】
特許文献１に記載された吊戸棚においては、昇降式の棚との重量のバランスをとるために定荷重バネが用いられ、棚のサイズ等に応じて、荷重調整ウェイトが付け替えられるように構成されている。
【０００４】
また、特許文献２に記載された吊戸棚においては、昇降式の棚を一定の力で上方に付勢するために、定荷重バネ（巻取りドラムに巻回された鋼製ベルト）が用いられている。
【０００５】
【特許文献１】特開２００７−２０６４８号公報
【特許文献２】特開２００６−３０５０６３号公報
【発明の開示】
【発明が解決しようとする課題】
【０００６】
特許文献１に記載された吊戸棚では、昇降式の棚を下げたり上げたりして上昇終了位置又は下降終了位置まで移動させたときに、昇降式の棚が急に停止し、衝撃が生じることがある。
【０００７】
また、特許文献２に記載された吊戸棚では、昇降式の棚を定荷重バネによって上方に移動させたとき、上昇終了位置において昇降式の棚が急に停止し、衝撃が生じることがある。
【０００８】
そこで、本発明の目的は、昇降式の棚を上昇終了位置及び下降終了位置に移動させたときの衝撃を緩和させることができる吊戸棚を提供することにある。
【課題を解決するための手段】
【０００９】
上記目的を達成するために、本発明による吊戸棚は、昇降式の棚を有する吊戸棚であって、戸棚本体と、棚を支持し且つ戸棚本体に対する上昇終了位置と下降終了位置との間を上下方向に移動可能に戸棚本体に取付けられた可動フレームと、可動フレームに対して上下方向に移動可能に可動フレームに取付けられた従動ロッドと、可動フレームと従動ロッドとの間の相対移動によって作動するように可動フレームと従動ロッドとの間に配置されたダンパ機構と、を有し、戸棚本体は、それに対する従動ロッドの上限位置と下限位置とをそれぞれ規定するように従動ロッドが当接する上側リミット部と下側リミット部とを有し、従動ロッドは、可動フレームが上昇終了位置にあるときに可動フレームが従動ロッドに対して下方向に移動できるように配置され、下側リミット部は、可動フレームが上昇終了位置から下降終了位置に移動する途中で従動ロッドが当接するように配置され、それにより、従動ロッドが下リミット部に当接した後、可動フレームが従動ロッドに対して下方向に移動して、戸棚本体に対する可動フレームの下方向の移動がダンパ機構によって抑制され、従動ロッドは、可動フレームが下降終了位置にあるときに可動フレームが従動ロッドに対して上方向に移動できるように配置され、上側リミット部は、可動フレームが下降終了位置から上昇終了位置に移動する途中で従動ロッドが当接するように配置され、それにより、従動ロッドが上リミット部に当接した後、可動フレームが従動ロッドに対して上方向に移動して、戸棚本体に対する可動フレームの上方向の移動がダンパ機構によって抑制されることを特徴としている。
【００１０】
このように構成された吊戸棚では、棚を下降させるとき、従動ロッドが下側リミット部に当接するまでは、可動フレームを戸棚本体に対して自由に比較的速い速度で下降させることができる。従動ロッドが下側リミット部に当接した後は、従動ロッドが下側リミット部によって下降できなくなるので、可動フレームが従動ロッドに対して相対的に下降し、ダンパ機構が作動する。その結果、戸棚本体に対する可動フレームの下降速度が減速され、下降終了位置における衝撃を緩和させることができる。
【００１１】
また、棚を上昇させるとき、従動ロッドが上側リミット部に当接するまでは、可動フレームを戸棚本体に対して自由に比較的速い速度で上昇させることができる。従動ロッドが上側リミット部に当接した後は、従動ロッドが上側リミット部によって上昇できなくなるので、可動フレームが従動ロッドに対して相対的に上昇し、ダンパ機構が作動する。その結果、戸棚本体に対する可動フレームの上昇速度が減速され、上昇終了位置における衝撃を緩和させることができる。
【００１２】
上記吊戸棚の実施形態において、好ましくは、従動ロッドは、その上端部に上リミット部及び下リミット部に当接する頭部を有する。
【００１３】
また、上記吊戸棚の実施形態において、好ましくは、従動ロッドは、ラックを有し、可動フレームは、ラックに係合するピニオンを有し、このピニオンは、ロータリーダンパを介して可動フレームに取付けられる。
【００１４】
また、上記吊戸棚の実施形態において、好ましくは、可動フレームは、上方に付勢される。
【００１５】
また、上記吊戸棚の実施形態において、好ましくは、従動ロッドは、可動フレームに枢動可能に取付けられた棚板体を起立位置に保持するラッチ体を移動させるための動作ピンを有する。
【発明の効果】
【００１６】
以上説明した通り、本発明による吊戸棚によれば、昇降式の棚を上昇終了位置及び下降終了位置に移動させたときの衝撃を緩和させることができる。
【発明を実施するための最良の形態】
【００１７】
以下、図面を参照して本発明の実施形態を詳細に説明する。
【００１８】
図１及び図２は、本発明の実施形態である吊戸棚を側方から見た概略的な断面図である。図３は、吊戸棚の内部を示す正面図である。また、図４及び図５は、吊戸棚を側方から見た断面図である。
【００１９】
図１の（ｄ）に示すように、本発明による吊戸棚１は、戸棚本体２と、戸棚本体２の後部に取付けられ、戸棚本体２から下方に延びる可動フレーム３と、可動フレーム３に取付けられた棚板体４とを有している。吊戸棚１は、壁に取付けられていてもよいし、天井に取付けられていてもよい。本明細書では、作業者から見て、手前側を「前」で指示し、奥側を「後」で指示する。
【００２０】
後で詳細に説明するように、可動フレーム３は、戸棚本体２に対して上下に移動可能であり、棚板体４は、可動フレーム３の下端部に枢動可能に取付けられ、可動フレーム３及び棚板体４は、戸棚本体２の後部に収納可能である。かくして、棚板体４を使用するとき、図１の（ａ）〜（ｄ）に順番に示すように、可動フレーム３及び棚板体４を戸棚本体２から下方に移動させ、その後、棚板体４を水平位置４ａまで展開させる。また、棚板体４を収納するとき、図２の（ａ）〜（ｄ）に順番に示すように、棚板体４を起立位置４ｂまで移動させ、その後、可動フレーム３及び棚板体４を上方に移動させる。
【００２１】
図１（ａ）に示すように、戸棚本体２は、底板２ａ、側板２ｂ、上板２ｃ及び後板２ｄと、前扉２ｅとを有している。戸棚本体２は、更に、その内部を前後に仕切る仕切り板１ａを有し、それにより、戸棚本体２の内部は、前側の収納室１ｂと、可動フレーム３及び棚板体４が収納される後側の設置空間１ｃとに仕切られている。底板２ａは、収納室１ｂ部分にだけ設けられており、設置空間１ｃは、下方に開放しているが、可動フレーム３の下端が収納時は蓋体の役目をなし、開放部を塞いでいる。
【００２２】
図３に示すように、戸棚本体２は、設置空間１ｃ内の左右両側に１つずつ取付けられ且つ上下方向に延びるガイド部２１を有している。本実施形態では、ガイド部２１は、後板２ｄに固定されている。可動フレーム３は、各ガイド部２１に上下方向に摺動可能に取付けられており、上下方向に細長い上下方向枠構成体３０ａと、左右の上下方向枠構成体３０ａの下端部及び上端部をそれぞれ連結する左右方向枠構成体３０ｂ、３０ｃとを有している。それにより、可動フレーム３は、棚板体４を支持し、戸棚本体２の設置空間１ｃ内に格納される上昇終了位置３ａ（図１の（ａ）及び図４参照）と、戸棚本体２の底板２ａよりも下方に延びる下降終了位置３ｂ（図１の（ｄ）及び図５参照）との間を上下方向に移動可能である。可動フレーム３の構造は、左右対称であるので、以下、左側の部分についてだけ説明する。
【００２３】
図３〜図５に示すように、吊戸棚１は、可動フレーム３及び棚板体４の重量をバランスさせるためのバランスウェイト２３を有している。バランスウェイト２３は、上板２ｃに取付けられた滑車２２に通されたワイヤ２４の一方の端部から吊り下げられ、ワイヤ２４の他方の端部は上側の左右方向枠構成体３０ｃに固定されている。バランスウェイト２３は、後板２ｄに取付けられた中央レール２０に沿って移動することが好ましい。バランスウェイト２３の重量は、好ましくは、可動フレーム３及び棚板体４の重量とほぼ同じであり、更に好ましくは、可動フレーム３及び棚板体４が自重で下降することができるように可動フレーム３及び棚板体４よりも僅かに軽い重量である。
【００２４】
また、図６は、棚板体の部分的な斜視図である。図６に示すように、棚板体４は、左右に設けられたアーム４０と、左右のアーム４０を橋渡しするようにそれらの取付けられた２枚の板体４１とを有している。アーム４０の基部４０ａは、上下方向枠構成体３０ａの下端部に軸体４２を介して回動可能に取付けられている。それにより、棚板体４は、可動フレーム３が下降終了位置３ｂにあるとき、基部４０ａから水平方向前方に延びる水平位置４ａ（図１の（ｄ）参照）及び図５参照）と、上下方向枠構成体３０ａに沿って基部４０ａから上方向に延びる起立位置４ｂ（図１の（ａ）及び図４参照）との間を回動可能である。軸体４２は、ローター部及びステータ部を有するロータリーダンパであることが好ましく、ローター部及びステータ部の一方が可動フレーム３の上下方向枠構成体３０ａに固定され、その他方が棚板体４のアーム４０に固定されている。棚板体４の重心は、棚板体４がその自重により起立位置４ｂから水平位置４ｂに回動するように、軸体４２よりも前方に位置していることが好ましい。
【００２５】
可動フレーム３の下側の左右方向枠構成体３０ｂは、水平位置４ａにおける棚板体４のストッパとして機能することが好ましい。また、棚板体４は、後述する保持部６によって起立位置４ｂに保持されることが可能である。
【００２６】
また、可動フレーム３は、それが下降終了位置３ｂにあるけれども棚板体４が起立位置まで移動させられていないときに（図２の（ａ）参照）、可動フレーム３が上昇することを阻止するためのロック体８０を有している。図７及び図８は、棚板体及びロック体の側面図である。図９及び図１０は、ロック体の断面図である。
【００２７】
図７〜図１０に示すように、ロック体８０は、上端部８１と下端部８２とを有する上下方向に細長い形状を有し、棚板体４の上方で上下方向枠構成体３０ａに回動可能に取付けられ、上下方向に細長いケーシング３４内に配置されている。ケーシング３４の前面は、棚板体４が起立位置４ｂを超えて反対側に枢動することを規制するために棚板体４が当接する規制部３４ａを構成する。ロック体８０は、上端部８１がケーシング３４の後面に設けられた孔から突出し且つ下端部８２がケーシング３４の前面に設けられた孔から突出した阻止位置８０ａ（図７及び図９参照）と、上端部８１及び下端部８２がケーシング３４内に引込んだ引込み位置８０ｂ（図８及び図１０参照）との間を枢動可能である。阻止位置８０ａにあるロック体８０の上端部８１は、可動フレーム３を上昇させたときに可動フレーム３の上昇を阻止するように戸棚本体２に設けられた阻止片２５ａに係合可能である。ロック体８０は、バネ８４によって阻止位置８０ａに付勢されている。
【００２８】
可動フレーム３は、ラッチ組立体５によって上昇終了位置３ａに保持される。図１１は、ラッチ組立体を部分的に破断して示す斜視図である。
【００２９】
ラッチ組立体５は、戸棚本体の底板２ａに埋込み式に取付けられている（図４及び図５参照）。ラッチ組立体５は、互いに連結されたラッチ部５０及び操作スライド部５１と、ラッチ部５０及び操作スライド部５１を摺動可能に保持する本体５２とを有している。ラッチ部５０は、底板２ａから設置空間１ｃに突出する突出位置５０ａ（図４参照）と、底板２ａの中に引込む引込み位置５０ｂ（図５参照）との間を摺動可能であり、バネ５３によって突出位置５０ａに付勢されている。ラッチ部５０が突出位置５０ａにあるとき、ラッチ部５０は、上昇終了位置３ａにある下側の左右方向枠構成体３０ｂの突出部３０ｄの下に延び（図４及び図５参照）、可動フレーム３の下降を阻止することが可能である。ラッチ部５０の先端の下面は、下降終了位置３ｂから上昇してきた可動フレーム３によってラッチ部５０が引込み位置５０ｂに押入れられるように丸み又は傾斜を有している。操作スライド部５１は、それを手前に引くことができるように指先が当接する操作面５１ａを有している。
【００３０】
次に、保持部６を詳細に説明する。図１２は、一部分を破断した保持部の斜視図である。図１３は、保持部の従動ロッドだけを示す斜視図である。図１４は、保持部の部分的な断面斜視図である。図１５は、保持部の従動ロッドの一部分とラッチケースとを別々に示す拡大斜視図である。図１６〜図１９は、保持部の動作を示す図である。図２０及び図２１はそれぞれ、下降時及び上昇時における保持部のラッチ体の動作を示す図である。
【００３１】
図１２に示すように、保持部６は、上下方向枠構成体３０ａに組込まれている。上下方向枠構成体３０ａは、矩形断面の筒状であり、その上下方向中間部に、保持部６のラッチケース３２が固定されている。ラッチケース３２は、棚板体４を起立位置４ｂに保持するためのラッチ体６０を左右方向Ａに摺動可能に収容している。ラッチ体６０は、起立位置４にある棚板体４に向かって延びるラッチピン６０ｃを有している。ラッチ体６０は、ラッチピン６０ｃが上下方向枠構成体３０ａに設けられた孔を貫通してそれから突出する突出位置６０ａと、ラッチピン６０ｃが上下方向構成体３０ａの中に引込む引込み位置６０ｂとの間を摺動可能であり、バネ３２ａ（図１４参照）によって突出位置６０ａに付勢されている。ラッチ体６０が突出位置６０ａにあるとき、ラッチピン６０ｃは、起立位置４にある棚板体４の孔４０ｂ（図２０の（ａ）参照）の中に延び、それにより、棚板体４を起立位置に保持することが可能である。ラッチピン６０ｃの先端は、棚板体４が水平位置４ａから起立位置４ｂに移動するときに孔４０ｄに入り易いが、棚板体４が起立位置４ｂから水平位置４ａに移動するときにラッチピン６０ｃが孔４０ｄから外れにくい形状、例えば、半球形を有していることが好ましい。
【００３２】
図１３及び図１４に示すように、ラッチ体６０を左右方向Ａに摺動させるための従動ロッド７０が、ラッチケース３２に設けられたガイドに沿って上下方向Ｂに移動可能に上下方向枠構成体３０ａ（即ち、可動フレーム３）に取付けられている。従動ロッド７０は、上下方向に細長く、その上端部、即ち、頭部７１は、上下方向枠構成体３０ａよりも上に位置し、下半部には、上下方向に延びるラック７２が形成されている。このラック７２は、ラッチケース３２内に設けられたピニオン３２ｂに係合し、このピニオン３２ｂにはロータリーダンパ３２ｃ（図示せず）が内蔵されている。かくして、上下方向枠構成体３０ａ（可動フレーム３）が従動ロッド７０に対して上下方向Ｂに相対移動するとき、ラック７２に係合したピニオン３２ｂを回転させてロータリーダンパ３２ｃを作動させることにより、上下方向枠構成体３０ａが減速される。
【００３３】
従動ロッド７０の頭部７１は、横方向に延び、ガイド部２１に設けられた下側リミット突片２１ａに上方から当接可能であると共に（図１８参照）、ガイド部２１に設けられた上側リミット突片２１ｂに下方から当接可能である（図１９参照）。即ち、従動ロッド７０のガイド部２１（即ち、戸棚本体２）に対する上下方向移動範囲は、下側リミット突片２１ａと上側リミット突片２１ｂとによって規制されている。
【００３４】
従動ロッド７０は、図１４に示すように、ラッチ体６０の後方に配置され、図１５に示すように、ラッチ体６０に向かって延びる動作ピン７３を有している。動作ピン７３は、従動ロッド７０から突出する突出位置７３ａと、従動ロッド７０の中に引込む引込み位置７３ｂとの間を移動可能であり、バネ（図示せず）によって突出位置７３ａに付勢されている。動作ピン７３及びラッチ体６０は、上下方向枠構成体３０ａ（即ち、可動フレーム３）が上昇終了位置３ａにあり且つ従動ロッド７０の頭部７１が上側リミット突片２１ｂに当接しているときに、ラッチ体６０が動作ピン７３よりも下に位置するように構成される。また、動作ピン７３及びラッチ体６０は、上下方向枠構成体３０ａ（即ち、可動フレーム３）が下降終了位置３ｂにあり且つ従動ロッド７０の頭部７１が下側リミット突片２１ａに当接しているときに、ラッチ体６０が動作ピン７３よりも上に位置するように構成される。従って、可動フレーム３が下降するとき、ラッチ体６０が動作ピン７３よりも上の位置からそれよりも下の位置に移動し、可動フレーム３が上昇するとき、ラッチ体６０が動作ピン７３よりも下の位置から上の位置に移動する。
【００３５】
ラッチ体６０は、上下方向枠構成体３０ａ（即ち、可動フレーム３）が下降するときに動作ピン７３と係合する下降時用カム部６１ａと、上下方向枠構成体３０ａ（即ち、可動フレーム３）が上昇するときに動作ピン７３と係合する上昇時用カム部６１ｄとを有している。下降時用カム部６１ａは、ラッチ体６０が突出位置６０ａから引込み位置６０ｂに移動するように動作ピン７３を受入れる溝によって構成されている。具体的には、この溝は、ラッチ体６０が突出位置６０ａにあるときに動作ピン７３を受入れるように位置決めされ且つ開放した溝下端６１ｂと、ラッチ体６０が引込み位置６０ｂにあるときに動作ピンを解放するように位置決めされ且つ開放した溝上端６１ｃとを有し、溝下端６１ｂと溝上端６１ｃとの間が湾曲している。上昇時用カム部６１ｄは、ラッチ体６０を突出位置６０ａから移動させることなしに動作ピン７３を受入れる溝によって構成されている。具体的には、この溝は、ラッチ体６０が突出位置６０ａにあるときに動作ピン７３を受入れるように位置決めされ且つ開放した溝上端６１ｅを有し、動作ピン７３を突出位置７３ａから引込み位置７３ｂに移動させるように下方に向かって浅くなり、消滅している。
【００３６】
ラッチ体６０が引込み位置６０ｂに引込むときの上下方向枠構成体３０ａの上下方向位置、即ち、従動ロッド７０が当接する下側リミット突片２１ａの位置は、起立位置４ｂから水平位置４ａに向かって移動する棚板体４が戸棚本体２と干渉しないように定められる。
【００３７】
次に、本発明の実施形態である吊戸棚の動作及び作用について説明する。
【００３８】
最初、棚本体２に収納されている可動フレーム３及び棚板体４をそれぞれ、下降終了位置３ｂ及び水平位置４ａに移動させる場合を説明する。
【００３９】
可動フレーム３が上昇終了位置３ａにあり且つ棚板体４を保持部６によって起立位置４ｂに保持した状態において、操作スライド部５１を操作して、ラッチ部５０を引込み位置５０ｂに移動させる。それにより、可動フレーム３及び棚板体４が自重で下方に移動し、次第に加速される。
【００４０】
可動フレーム３が上昇終了位置３ａにあるとき及びそこから下降し始めたとき（図１６参照）、ラッチ体６０は突出位置６０ａに付勢され、かくして、棚板体４が保持部６によって起立位置４ｂに保持されている。それにより、棚板体４が起立位置４ｂから水平位置４ａに向かって回動することが阻止される。
【００４１】
従動ロッド７０の頭部７１が下側リミット突片２１ａに当接すると（図１７参照）、戸棚本体２に対する従動ロッド７０の移動が阻止される。結果として、上下方向枠構成体３０ａが従動ロッド７０に対して下方に相対移動する。このとき、従動ロッド７０のラック７２が、ピニオン３２ｂを回転させ、ピニオン３２ｂに内蔵されたロータリーダンパ３２ｃが作動する。従って、従動ロッド７０の頭部７１が下側リミット突片２１ａに当接した後、下降している上下方向枠構成体３０ａ、即ち、可動フレーム３及び棚板体４は、減速され、下降終了位置３ｂまで下降して、停止する（図１８参照）。
【００４２】
上下方向枠構成体３０ａが従動ロッド７０に対して下方に相対移動することにより、ラッチ体６０の下降時用カム部６１ａの溝下端６１ｂが従動ロッド７０の動作ピン７３を受入れる（図２０の（ａ）参照）。上下方向枠構成体３０ａが更に下降するにつれて、動作ピン７３が下降時用カム部６１ａを介してラッチ体６０を引込み位置６０ｂに移動させる（図２０の（ｂ）参照）。上下方向枠構成体３０ａが更に下降すると、ラッチ体６０が動作ピン７３を下降時用カム部６１ａの溝上端６１ｃから解放し、ラッチ体６０は、バネ３２ａによって、突出位置６０ａに再び移動させられる。
【００４３】
ラッチ体６０が突出位置６０ａから引込み位置６０ｂに移動させられたとき、棚板体４が自重によって起立位置４ｂから水平位置４ａに移動を開始する。ラッチ体６０が突出位置６０ａに再び移動させられたとき、棚板体４はラッチ体６０から解放された状態にある。棚板体４は、軸体４２に内蔵されたロータリーダンパによって制御された速度で水平位置まで回動する。
【００４４】
棚板体４が起立位置４ｂから回動することにより、ロック体８０が引込み位置８０ｂから突出位置８０ａ回動する（図９参照）。それにより、ロック体８０の上端部８１と戸棚本体２の阻止片２５ａとが上下方向に整列する。従って、棚板体４を起立位置４ｂまで回動させない状態で、可動フレーム３を上昇させることが阻止される。
【００４５】
次に、可動フレーム３及び棚板体４を戸棚本体２に収納する場合を説明する。
【００４６】
水平位置４ａにある棚板体４を手で起立位置４ｂまで回動させる。ラッチピン６０ｃの先端が半球形であるので、棚板体４を押込むことにより、棚板体４はラッチ体６０によって保持される。それにより、ロック体８０の下端部８２が押され、ロック体が突出位置８０ａから引込み位置８０ｂに移動し、可動フレーム３の上昇が可能になる。
【００４７】
次いで、可動フレーム３を手で持上げると、従動ラック７０も下側リミット突片２１ａから持上げられる。従動ラック７０は、上下方向枠構成体３０ａに向かって自重によって下降しようとするが、ラック７２、ピニオン３２ｂ及びそれに内蔵されたロータリーダンパ３２ｃが抵抗となり、実質的に上下方向枠構成体３０ａとの相対移動なしに持上げられる。
【００４８】
従動ロッド７０の頭部７１が上側リミット突片２１ｂに当接すると（図１９参照）、戸棚本体２に対する従動ロッド７０の移動が阻止される。結果として、上下方向枠構成体３０ａが従動ロッド７０に対して上方に相対移動する。このとき、従動ロッド７０のラック７２が、ピニオン３２ｂを回転させ、ピニオン３２ｂに内蔵されたロータリーダンパ３２ｃが作動する。従って、従動ロッド７０の頭部７１が上側リミット突片２１ａに当接した後、持上げている上下方向枠構成体３０ａ、即ち、可動フレーム３及び棚板体４は、減速され、上昇終了位置３ａに至る（図１６参照）。可動フレーム３は、ラッチ組立体５によって上昇終了位置３ａに保持される。
【００４９】
上下方向枠構成体３０ａが従動ロッド７０に対して上方に相対移動することにより、ラッチ体６０の上昇時用カム部６１ｄの溝上端６１ｅが従動ロッド７０の動作ピン７３を受入れる（図２１の（ａ）参照）。上下方向枠構成体３０ａが更に上昇するにつれて、上昇時用カム部６１ｄの溝が浅くなり、動作ピン７３を突出位置７３ａから引込み位置７３ｂに移動させる（図２１の（ｂ）参照）。上下方向枠構成体３０ａが更に上昇すると、ラッチ体６０が動作ピン７３を解放し、動作ピン７３を引込み位置７３ｂから突出位置７３ａに戻す（図２１の（ｃ）参照）。従って、ラッチ体６０は、突出位置６０ａから移動しない。
【００５０】
上述した吊戸棚１では、可動フレーム３が上昇終了位置３ａから下降終了位置３ｂまで移動する途中まで、可動フレーム３は加速され、その後、下降終了位置３ｂまでロータリーダンパ３２ｃによって減速される。それにより、可動フレーム３が下降終了位置３ｂに到達したときの衝撃を緩和することができる。更に、可動フレーム３が下降終了位置３ｂから上昇終了位置３ａまで移動する途中まで、可動フレーム３は手で持上げる速度で移動し、その後、上昇終了位置までロータリーダンパ３２ｃによって減速される。それにより、可動フレーム３が上昇終了位置３ａに到達した時の衝撃を緩和することができる。
【００５１】
また、可動フレーム３の上昇及び下降の途中までは、ロータリーダンパ３２ｃが作用しないので、可動フレーム３を比較的早い速度で移動させることができ、上昇及び下降の全体にダンパを作用させる場合と比較して、上昇終了位置３ａから下降終了位置３ｂへの切替え時間及び下降終了位置３ｂから上昇終了位置３ａへの切替え時間を短くすることができる。
【００５２】
また、下側リミット突片２１ａ及び／又は上側リミット突片２１ｂの位置を変えることによって、ロータリーダンパ３２ｃを作用させる可動フレーム３の位置を容易に調整することができる。
【００５３】
上記吊戸棚１は、棚板体４が起立位置４ｂで戸棚本体２の中に収納されるので、戸棚本体２に収納されている状態において、棚板体４の上に物を載せることができない。このことは、物を載せた状態で昇降できる昇降式の棚を有する従来の吊戸棚と比較して有利な点を有する。具体的には、棚板体４の上に物を載せることができないので、上昇終了位置３ａから下降終了位置３ｂまで移動するときの可動フレーム３及び棚板体４の重量は実質的に変化しない。また、物を載せた状態で昇降できる昇降式の棚を有する吊戸棚では、物を棚にたくさん載せたときでも棚を持上げる力を軽減するために、棚が上方に付勢される。従って、棚を下降させるときに余計な力が必要になることがある。また搭載物の重量により昇降操作力が変化し使い勝手の悪いものである。これに対して、上述した吊戸棚１では、可動フレーム３と棚板体４の重量をそれらが自重で下降できるように設計することができ、それにより、ラッチ組立体５による可動フレーム３の解放により、可動フレーム３及び棚板体４を自動的に且つ衝撃を生じさせることなしに下降終了位置４ｂ及び水平方向位置に展開させることができる。
【００５４】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００５５】
上記実施形態では、戸棚本体２に収納された棚板体４の上に物を載せられないことが好ましいことを説明したが、可動フレーム３及び棚板体４を上昇終了位置３ａ及び下降終了位置３ｂに移動させたときの衝撃を緩和させることができれば、棚板体４が物を載せたまま戸棚本体２に収納されるように構成されていてもよい。
【００５６】
また、上記実施形態では、可動フレーム３及び棚板体４が自重で下降できることが好ましいことを説明したが、可動フレーム３及び棚板体４を上昇終了位置３ａ及び下降終了位置３ｂに移動させたときの衝撃を緩和させることができれば、それらが上方に付勢されていてもよい。
【００５７】
また、上記実施形態では、可動フレーム３と従動ロッド７０との間にロータリーダンパ３２ｃを使用したけれども、可動フレーム３と従動ロッド７０の相対移動によるダンパ作用があれば、ガスダンパ等のその他の種類のダンパであってもよい。
【００５８】
上下方向枠構成体３０ａのラッチピン６０ｃと棚板体４の孔４０ｂの組合せは、棚板体４を起立位置４ｂに保持することができれば、その他の形態であってもよい。
【図面の簡単な説明】
【００５９】
【図１】本発明の実施形態である吊戸棚を側方から見た概略的な断面図である。
【図２】本発明の実施形態である吊戸棚を側方から見た概略的な断面図である。
【図３】吊戸棚の内部を示す正面図である。
【図４】吊戸棚を側方から見た断面図である。
【図５】吊戸棚を側方から見た断面図である。
【図６】棚板体の部分的な斜視図である。
【図７】棚板体及びロック体の側面図である。
【図８】棚板体及びロック体の側面図である。
【図９】ロック体の断面図である。
【図１０】ロック体の断面図である。
【図１１】取っ手部分の拡大斜視図である。
【図１２】一部分を破断した保持部の斜視図である。
【図１３】従動ロッドの斜視図である。
【図１４】保持部の部分的な断面斜視図である。
【図１５】従動ロッドの一部分とラッチケースの拡大斜視図である。
【図１６】保持部の動作を示す図である。
【図１７】保持部の動作を示す図である。
【図１８】保持部の動作を示す図である。
【図１９】保持部の動作を示す図である。
【図２０】下降時のラッチ体の動作を示す図である。
【図２１】上昇時のラッチ体の動作を示す図である。
【符号の説明】
【００６０】
１  吊戸棚
２  戸棚本体
３  可動フレーム
３ａ  上昇終了位置
３ｂ  下降終了位置
４  棚板体
４ｂ  起立位置
２１ａ  下側リミット突片
２１ｂ  上側リミット突片
３２ｂ  ピニオン
３２ｃ  ロータリーダンパ
６０  ラッチ体
７０  従動ロッド
７１  頭部
７２  ラック
７３  動作ピン
【図１】
0005228480.tif 000002
【図２】
0005228480.tif 000003
【図３】
0005228480.tif 000004
【図４】
0005228480.tif 000005
【図５】
0005228480.tif 000006
【図６】
0005228480.tif 000007
【図７】
0005228480.tif 000008
【図８】
0005228480.tif 000009
【図９】
0005228480.tif 000010
【図１０】
0005228480.tif 000011
【図１１】
0005228480.tif 000012
【図１２】
0005228480.tif 000013
【図１３】
0005228480.tif 000014
【図１４】
0005228480.tif 000015
【図１５】
0005228480.tif 000016
【図１６】
0005228480.tif 000017
【図１７】
0005228480.tif 000018
【図１８】
0005228480.tif 000019
【図１９】
0005228480.tif 000020
【図２０】
0005228480.tif 000021
【図２１】
0005228480.tif 000022